(57)【特許請求の範囲】
【請求項１】
決済された商取引の内容を示すレシート情報を印刷媒体に出力して印刷レシートを発行する印刷レシート発行手段を有するとともに、前記レシート情報を電子化した電子レシートを作成する電子レシート作成手段を有した決済処理装置と、この決済処理装置で作成された前記電子レシートを記録する電子レシートデータベースと、商取引の決済時に前記決済処理装置と通信を行ってその商取引の内容を示す電子レシートをダウンロードするための識別情報を前記決済処理装置から受信し、この識別情報で識別される電子レシートを前記電子レシートデータベースから選択的にダウンロードすることが可能な携帯端末とを備えてなる電子レシートシステムにおいて、
前記携帯端末は、前記印刷レシートを受取るか否かを指示するレシート受取情報を設定する情報設定手段と、この情報設定手段により設定されたレシート受取情報を記憶する情報記憶手段と、前記電子レシートをダウンロードするための識別情報を、前記情報記憶手段で記憶する前記レシート受取情報が前記印刷レシートの受取り可を指示する情報であるときにはその電子レシートと同一内容の印刷レシートを受取済であることを示す情報と関連付けて記憶し、前記レシート受取情報が前記印刷レシートの受取不可を指示する情報であるときにはその電子レシートと同一内容の印刷レシートを受取済でないことを示す情報と関連付けて記憶する識別情報記憶手段と、この識別情報記憶手段により記憶された識別情報のうち前記印刷レシートを受取済でないことを示す情報が関連付けられた識別情報を選択的に前記決済処理装置に送信する識別情報送信手段とを具備し、
前記決済処理装置は、商取引の決済時に前記携帯端末の情報記憶手段により記憶されたレシート受取情報に基づいて前記印刷レシートの発行可否を判定する判定手段と、この判定手段により前記印刷レシートの発行可と判定された場合に前記印刷レシート発行手段を動作させてその決済された商取引の内容を示すレシート情報が出力された印刷レシートを発行させる発行制御手段と、前記携帯端末の前記識別情報送信手段により送信された識別情報を受信する識別情報受信手段と、この識別情報受信手段により受信した識別情報で識別される電子レシートを前記電子レシートデータベースから取得する電子レシート取得手段と、前記印刷レシート発行手段を動作させて前記電子レシート取得手段により取得した電子レシートと同一内容の印刷レシートを発行させる後発行制御手段と、この後発行制御手段による印刷レシートの発行後に印刷完了を前記携帯端末に通知する手段とを具備し、
前記携帯端末は、前記決済処理装置から前記印刷完了の通知を受けると、前記識別情報送信手段により送信した識別情報に関連付けられている情報を、前記印刷レシートを受取済でないことを示す情報から受取済であることを示す情報に変更する手段をさらに具備したことを特徴とする電子レシートシステム。
【請求項２】
前記携帯端末は、商取引の内容に関わる前記印刷レシートの受取条件を設定する条件設定手段と、この条件設定手段により設定された受取条件を記憶する条件記憶手段と、前記決済処理装置から商取引の内容を取込み前記条件記憶手段により記憶した受取条件と照合する照合手段と、前記情報記憶手段により記憶したレシート受取情報を、前記照合手段により前記商取引の内容が前記受取条件を満足する場合は受取可を指示する情報に更新し、満足しない場合は受取不可を指示する情報に更新する情報更新手段とをさらに具備したことを特徴とする請求項１記載の電子レシートシステム。
【請求項３】
前記後レシート発行制御手段により発行された印刷レシートと同一内容の電子レシートを前記電子レシートデータベースから削除する削除手段をさらに具備したことを特徴とする請求項１記載の電子レシートシステム。
【請求項４】
決済された商取引の内容を示すレシート情報を印刷媒体に出力して印刷レシートを発行する印刷レシート発行手段を有するとともに、前記レシート情報を電子化した電子レシートを作成する電子レシート作成手段を有した決済処理装置と通信を行う第１の通信手段と、前記決済処理装置で作成された前記電子レシートを記録する電子レシートデータベースと通信を行う第２の通信手段とを具備し、商取引の決済時に前記第１の通信手段を介してその商取引の内容を示す電子レシートをダウンロードするための識別情報を前記決済処理装置から受信し、この識別情報で識別される電子レシートを前記第２の通信手段を介して前記電子レシートデータベースから選択的にダウンロードする携帯端末であって、
前記印刷レシートを受取るか否かを指示するレシート受取情報を設定する情報設定手段と、この情報設定手段により設定されたレシート受取情報を前記決済処理装置が取込み可能に記憶する情報記憶手段と、前記電子レシートをダウンロードするための識別情報を、前記情報記憶手段で記憶する前記レシート受取情報が前記印刷レシートの受取り可を指示する情報であるときにはその電子レシートと同一内容の印刷レシートを受取済であることを示す情報と関連付けて記憶し、前記レシート受取情報が前記印刷レシートの受取不可を指示する情報であるときにはその電子レシートと同一内容の印刷レシートを受取済でないことを示す情報と関連付けて記憶する識別情報記憶手段と、この識別情報記憶手段により記憶された識別情報のうち前記印刷レシートを受取済でないことを示す情報が関連付けられた識別情報を前記第１の通信手段を介して選択的に前記決済処理装置に送信する識別情報送信手段と、この識別情報送信手段により送信した識別情報で識別される電子レシートと同一内容の印刷レシートが発行されると、当該識別情報に関連付けられている情報を、前記印刷レシートを受取済でないことを示す情報から受取済であることを示す情報に変更する手段を具備したことを特徴とする携帯端末。
【請求項５】
商取引の内容に関わる前記印刷レシートの受取条件を設定する条件設定手段と、この条件設定手段により設定された受取条件を記憶する条件記憶手段と、前記決済処理装置から商取引の内容を取込み前記条件記憶手段により記憶した受取条件と照合する照合手段と、前記情報記憶手段により記憶したレシート受取情報を、前記照合手段により前記商取引の内容が前記受取条件を満足する場合は受取可を指示する情報に更新し、満足しない場合は受取不可を指示する情報に更新する情報更新手段とをさらに具備したことを特徴とする請求項４記載の携帯端末。
【発明の詳細な説明】
【技術分野】
【０００１】
本発明は、決済された商取引の内容を示すレシート情報を電子化して客に提供する電子レシートシステム及びこのシステムにおいて客が使用する携帯端末並びに店側が設置する決済処理装置に関する。
【背景技術】
【０００２】
近年、顧客から提示されたＩＣカードを介して電子レシートを発行する電子レシートシステムが提案されている。このシステムは、ＰＯＳ端末が生成した紙レシート印刷データから電子レシートデータを生成する。また、前記ＩＣカードから電子レシートの発行条件に関する電子レシート発行情報を読み出し、この発行情報に基づいて電子レシートを発行するか否かを決定する。そして、電子レシートを発行すると決定した場合には、前記ＩＣカードに電子レシートデータを書き込む（例えば、特許文献１参照）。
【特許文献１】特開２００５−０５６１４３号公報
【発明の開示】
【発明が解決しようとする課題】
【０００３】
このような電子レシートシステムを採用することにより、客は決済の記録を電子情報として受取ることができるので、例えば家計簿を電子的に処理できるようになる。また、紙レシートを受取らなくてもよいため、決済に要する時間が短縮される上、紙レシートを保管する面倒もなくなる。一方、店側にとっても、電子レシートを発行した客に対しては紙レシートを発行しない運用を採ることによって、レシート用紙を節約することができる。また、客に渡した紙レシートが投棄されることによって店内や路上が汚れるのを未然に防ぐことができるメリットもある。
【０００４】
しかしながら、レシートは決済が行われたという公的な証書としての役割を果たす。このため、決済の記録を電子レシートで受取る客の中にも、紙を媒体とするレシートを別途欲しいという客がいることが考えられる。そこで、電子レシートシステムを採用した際には、店員が決済の記録を電子レシートで受取る客に対して紙レシートが必要であるか否かを問合せたり、客が、商取引の都度、紙レシートが必要であるか否かを答えたりしなればならず、煩わしいものとならざるを得ない。また、紙レシートの発行有無を巡って店員と客との間で無用なトラブルが発生するおそれもある。
【０００５】
本発明はこのような事情に基づいてなされたもので、その目的とするところは、決済の記録を電子レシートで受取る客のうち、紙などを印刷媒体とする印刷レシートが必要である客に対しては自動的に印刷レシートを発行することができ、客及び店員双方の煩雑感をなくすとともに、印刷レシートの発行に関わる無用なトラブルを未然に防止できる電子レシートシステム及びこのシステムに用いられる携帯端末並びに決済処理装置を提供しようとするものである。
【課題を解決するための手段】
【０００６】
本発明は、決済処理装置と、電子レシートデータベースと、携帯端末とを備えてなる電子レシートシステムにある。決済処理装置は、決済された商取引の内容を示すレシート情報を印刷媒体に出力して印刷レシートを発行する印刷レシート発行手段と、レシート情報を電子化した電子レシートを作成する電子レシート作成手段とを有する。電子レシートデータベースは、決済処理装置で作成された電子レシートを記録する。携帯端末は、商取引の決済時に決済処理装置と通信を行ってその商取引の内容を示す電子レシートをダウンロードするための識別情報を決済処理装置から受信し、この識別情報で識別される電子レシートを電子レシートデータベースから選択的にダウンロードすることが可能である。
【０００７】
このような構成の電子レシートシステムにおいて、さらに携帯端末は、印刷レシートを受取るか否かを指示するレシート受取情報を設定する情報設定手段と、この情報設定手段により設定されたレシート受取情報を記憶する情報記憶手段と、電子レシートをダウンロードするための識別情報を、情報記憶手段で記憶するレシート受取情報が印刷レシートの受取り可を指示する情報であるときにはその電子レシートと同一内容の印刷レシートを受取済であることを示す情報と関連付けて記憶し、レシート受取情報が印刷レシートの受取不可を指示する情報であるときにはその電子レシートと同一内容の印刷レシートを受取済でないことを示す情報と関連付けて記憶する識別情報記憶手段と、この識別情報記憶手段により記憶された識別情報のうち印刷レシートを受取済でないことを示す情報が関連付けられた識別情報を選択的に決済処理装置に送信する識別情報送信手段とを具備している。また、決済処理装置は、商取引の決済時に携帯端末の情報記憶手段により記憶されたレシート受取情報に基づいて印刷レシートの発行可否を判定する判定手段と、この判定手段により印刷レシートの発行可と判定された場合に印刷レシート発行手段を動作させてその決済された商取引の内容を示すレシート情報が出力された印刷レシートを発行させる発行制御手段と、携帯端末の識別情報送信手段により送信された識別情報を受信する識別情報受信手段と、この識別情報受信手段により受信した識別情報で識別される電子レシートを電子レシートデータベースから取得する電子レシート取得手段と、印刷レシート発行手段を動作させて電子レシート取得手段により取得した電子レシートと同一内容の印刷レシートを発行させる後発行制御手段と、この後発行制御手段による印刷レシートの発行後に印刷完了を携帯端末に通知する手段とを具備している。さらに、携帯端末は、決済処理装置から印刷完了の通知を受けると、識別情報送信手段により送信した識別情報に関連付けられている情報を、印刷レシートを受取済でないことを示す情報から受取済であることを示す情報に変更する手段を具備している。
【発明の効果】
【０００８】
かかる手段を講じた本発明によれば、決済の記録を電子レシートで受取る客のうち、紙などを印刷媒体とする印刷レシートが必要である客に対しては自動的に印刷レシートを発行することができ、客及び店員双方の煩雑感をなくすとともに、印刷レシートの発行に関わる無用なトラブルを未然に防止できる効果を奏する。
【発明を実施するための最良の形態】
【０００９】
以下、本発明を実施するための最良の形態について、図面を用いて説明する。  
なお、この実施の形態は、携帯端末の所有者であるユーザが店舗で買い物をした際に、その商取引の決済を電子決済で処理すること及びその商取引の内容を示すレシートを電子レシートとして受取ることを可能にした電子レシーシステムに本発明を適用した場合である。
【００１０】
図１は、本実施の形態における電子レシートシステムの全体構成図である。店舗１には、ＰＯＳ（Point Of Sales）端末２と、インターネット５に対応したルータ３とが設置されている。ＰＯＳ端末２とルータ３とは、店舗内のＬＡＮ（Local Area Network）４によって接続されている。ＰＯＳ端末２は、１台に限らず、複数台あってもよい。
【００１１】
公衆通信網であるインターネット５には、電子レシートサーバ６と、携帯端末８の基地局７とが接続されている。
【００１２】
ＰＯＳ端末２は、本発明の決済処理装置として機能する。すなわちＰＯＳ端末２は、決済された商取引の内容を示すレシート情報を印刷媒体に出力して印刷レシートを発行する印刷レシート発行手段を有するとともに、レシート情報を電子化した電子レシートを作成する電子レシート作成手段を有している。なお、本実施の形態では、印刷媒体をレシート用紙とする。以後、レシート情報が印刷された印刷レシートを紙レシートと称する。
【００１３】
電子レシートサーバ６は、ＰＯＳ端末２で作成された電子レシートを記録する電子レシートデータベースとして機能する。また、電子レシートサーバ６は、Ｗｅｂサーバとしての機能を有する。すなわち電子レシートサーバ６は、店舗１のＰＯＳ端末２で生成された電子レシートを電子レシートデータベースに保存し、インターネット５を利用してＷｅｂ上に公開する。
【００１４】
携帯端末８は、ＰＯＳ端末２と通信を行うことにより、電子決済を処理する機能を有している。また、商取引の決済時にその商取引に関わる電子レシートを電子レシートサーバ６からダウンロードするための識別情報をＰＯＳ端末２から受信し、この識別情報で識別される電子レシートを電子レシートサーバ６から選択的にダウンロードする機能を有している。
【００１５】
携帯端末８は、例えばインターネット対応の携帯電話機のようにＷｅｂブラウザを実装したものである。すなわち携帯端末８は、Ｗｅｂ上に公開された電子レシートのＵＲＬ（Uniform Resource Locator）を指定してこの電子レシートの情報をダウンロードすることにより、電子レシートの内容をＷｅｂブラウザで閲覧できるようになっている。
【００１６】
かかる構成の電子レシートシステムは、携帯端末８のユーザが、商取引の決済時に紙レシートを受け取るか否かを、前もって携帯端末８に設定できるようになっている。一方、ＰＯＳ端末２では、商取引の決済毎に携帯端末８の情報から紙レシートを発行するか否かを判定し、発行する場合には印刷レシート発行手段を動作させて、紙レシートを発行するようになっている。さらに、紙レシートを発行しなかった商取引についても、１度だけであれば紙レシートを後から発行できるようになっている。
【００１７】
以下、この点を含み、各部の構成について詳細に説明する。初めに、携帯端末８の要部構成を、図２のブロック図を用いて説明する。携帯端末８は、ＣＰＵ（Central Processing Unit）１１、ワークメモリ１２、記録部１３、非接触ＩＣカードインターフェイス１４、非接触ＩＣカードメモリ１５、表示部１６、入力部１７及び公衆網接続インターフェイス１８等で構成されている。
【００１８】
ＣＰＵ１１は、制御部本体を構成する。ワークメモリ１２は、各種データを演算等のために一時的に記憶するための領域である。記録部１３は、各種のプログラムやデータ等が記録される不揮発性の領域である。非接触ＩＣカードインターフェイス１４は、ＰＯＳ端末２と近距離通信を行うための第１の通信手段として機能する。非接触ＩＣカードメモリ１５は、非接触ＩＣカードインターフェイス１４を介して送受する情報を格納する。表示部１６は、電子レシートの閲覧画面等を表示する。入力部１７は、携帯端末８を操作するための各種キーを配置している。公衆網接続インターフェイス１８は、インターネット５を介して電子レシートサーバ６と通信を行うための第２の通信手段として機能する。
【００１９】
記録部１３には、Ｗｅｂ上に公開されている各種情報（コンテンツ）を表示部１６で閲覧するためのＷｅｂブラウザの他、電子決済プログラムＰ１、電子レシート対応プログラムＰ２及び紙レシート受取設定プログラムＰ３がインストールされている。電子決済プログラムＰ１は、携帯端末８がＰＯＳ端末２との間で電子決済を行うためのプログラムである。電子レシート対応プログラムＰ２は、商取引の決済後に生成される電子レシートを電子レシートサーバ６から携帯端末８が受け取るためのプログラムである。紙レシート受取設定プログラムＰ３は、商取引の決済時に紙レシートを受け取るか否かを携帯端末８に設定するためのプログラムである。
【００２０】
これらのプログラムＰ１〜Ｐ３は、例えばインターネット５を介して記録部１３にダウンロードすることができる。そして、これらのプログラムＰ１〜Ｐ３を記録部１３にダウンロードすることによって、紙レシート受取条件管理領域Ａ１と電子レシート保存領域Ａ２とが記録部１３に形成される。
【００２１】
紙レシート受取条件管理領域Ａ１のエリア構成を図３に示す。図示するように、紙レシート受取条件管理領域Ａ１には、受取設定フラグの領域ａ１、受取条件金額の領域ａ２、店舗別発行フラグの領域ａ３及び論理フラグの領域ａ４が形成されている。
【００２２】
領域ａ１に記憶される受取設定フラグは、紙レシートの受取区分が、「常に受取らない」，「常に受取る」及び「条件によって受取る」の３項目のいずれであるかを識別する情報である。本実施の形態では、「常に受取らない」を示す情報を“０”とし、「常に受取る」を示す情報を“１”とし、「条件によって受取る」を示す情報を“−”（未設定）とする。
【００２３】
ここで、「条件によって受取る」場合の条件には、金額条件と店舗条件とがある。金額条件とは、商取引の決済金額が所定金額以上のとき紙レシートを受取るというものである。店舗条件とは、商取引の相手が所定の店舗であるとき紙レシートを受取る（または受取らない）というものである。本実施の形態では、金額条件と店舗条件の両方の満たした場合に紙レシートを受取るのか、少なくとも一方の条件を満たした場合に紙レシートを受取るのかを選択できるようになっている。
【００２４】
すなわち、紙レシート受取条件管理領域Ａ１の領域ａ２には、金額条件の下限金額が記憶される。領域ａ３には、予め設定された各店舗の店舗名情報にそれぞれ対応して、発行するか否かを識別する発行フラグ（“１”：発行する、“０”：発行しない）が記憶される。領域ａ４には、金額条件と店舗条件の両方の満たした場合（ＡＮＤ）に紙レシートを受取るのか、少なくとも一方の条件を満たした場合（ＯＲ）に紙レシートを受取るのかを識別する論理フラグ（“１”：ＡＮＤ、“０”：ＯＲ）が記憶される。
【００２５】
電子レシート保存領域Ａ２のエリア構成を図４に示す。図示するように、電子レシート保存領域Ａ２には、一連番号順に、電子レシートサーバ６からダウンロードした電子レシート情報と、この電子レシートをダウンロードするための識別情報と、受取状況フラグとを関連付けて記憶するようになっている。受取状況フラグは、関連付けられた電子レシートと同一内容の紙レシートを受け取ったか否かを識別する情報であり、本実施の形態では、受取済の状況を“１”とし、未受取の状況を“０”とする。
【００２６】
次に、ＰＯＳ端末２の要部構成を、図５のブロック図を用いて説明する。ＰＯＳ端末２は、ＣＰＵ２１、ワークメモリ２２、記録部２３、非接触ＩＣカードインターフェイス２４、非接触ＩＣカードメモリ２５、入力部２６、オペレータ用表示部２７、客用表示部２８、プリンタ２９及びネットワークインターフェイス３０等で構成されている。
【００２７】
ＣＰＵ２１は、制御部本体を構成する。ワークメモリ１２は、各種データを演算等のために一時的に記憶するための領域である。記録部２３は、各種のプログラムやデータ等が記録される不揮発性の領域である。非接触ＩＣカードインターフェイス２４は、携帯端末８と近距離通信を行うための第１の通信手段として機能する。非接触ＩＣカードメモリ２５は、非接触ＩＣカードインターフェイス２４を介して送受する情報を格納する。入力部２６は、商取引に関わる種々の情報を入力するための各種キーを配置している。オペレータ用表示部２７は、ＰＯＳ端末２のオペレータであるキャッシャに対して商取引の内容等を表示する。客用表示部２８は、商取引相手である買物客に対して商取引の内容等を表示する。プリンタ２９は、決済された商取引の内容を示すレシート情報をレシート用紙に印刷出力して紙レシートを発行する（紙レシート発行手段）。公衆網接続インターフェイス１８は、インターネット５を介して電子レシートサーバ６と通信を行う第２の通信手段として機能する。
【００２８】
記録部２３には、各種のＰＯＳ業務を実行するためのソフトウェアの他、電子決済プログラムＰ４と電子レシート処理プログラムＰ５とがインストールされている。電子決済プログラムＰ４は、携帯端末８に記憶されている情報に基づいて電子決済を処理するためのプログラムである。電子レシート処理プログラムＰ５は、決済された商取引の内容を示すレシート情報を電子化した電子レシートを作成するためのプログラムである。
【００２９】
次に、電子レシートサーバ６の要部構成を、図６のブロック図を用いて説明する。電子レシートサーバ６は、ＣＰＵ３１、ワークメモリ３２、記録部３３及びネットワークインターフェイス３４等で構成されている。
【００３０】
ＣＰＵ３１は、制御部本体を構成する。ワークメモリ３２は、各種データを演算等のために一時的に記憶するための領域である。記録部３３は、各種のプログラムやデータ等が記録される不揮発性の領域である。ネットワークインターフェイス３４は、インターネット５を介してＰＯＳ端末２や携帯端末８と通信を行う。
【００３１】
記録部３３には、電子レシート情報をＷｅｂ上で公開するための領域として電子レシート管理領域Ａ３が確保されている。また、各ＰＯＳ端末２から受け取った電子レシート情報を上記電子レシート管理領域Ａ３で管理するための電子レシート管理プログラムＰ６が予めインストールされている。
【００３２】
電子レシート管理領域Ａ３のエリア構成を図７に示す。図示するように、電子レシート管理領域Ａ３には、Ｗｅｂ上で公開される電子レシートの情報が、そのＷｅｂ上の公開場所を指定するＵＲＬ（Uniform Resource Locator）と関連付けて記憶されている。また、各電子レシートの情報には、発行状況フラグが付加されている。発行状況フラグは、対応する電子レシートと同一内容の紙レシートを発行済であるか否かを識別する情報であり、本実施の形態では、発行済の状況を“１”とし、未発行の状況を“０”とする。
【００３３】
次に、上記の如く構成された携帯端末８、ＰＯＳ端末２及び電子レシートサーバ６を有する電子レシートシステムの機能について、詳細に説明する。初めに、携帯端末８のユーザが紙レシートの受取条件を携帯端末８に設定する場合について、図８の流れ図を用いて説明する。
【００３４】
携帯端末８のユーザは、入力部１７を操作して、携帯端末８の業務メニューの中から紙レシート受取条件設定業務を選択する。そうすると、紙レシート受取設定プログラムＰ３が起動する。このプログラムＰ３の起動により、携帯端末８のＣＰＵ１１は、図８の流れ図に示す手順の処理を実行する。
【００３５】
先ずＣＰＵ１１は、ＳＴ（ステップ１）として、表示部１６に受取区分設定画面Ｇ１を表示させる。受取区分設定画面Ｇ１の一例を図９に示す。図示するように、受取区分設定画面Ｇ１には、前述した紙レシート受取区分の３項目「常に受取らない」，「常に受取る」及び「条件によって受取る」のうちいずれか１項目を選択するチェックボックスＣ１が表示されている。また、「次へ」ボタンＢ１が表示されている。「次へ」ボタンＢ１は、受取区分の選択確定を指示するときにユーザが操作する。
【００３６】
チェックボックスＣ１には、デフォルトとしていずれか１つの項目（例えば「常に受取る」）にチェックが入っている。そしてその後、他の項目が選択されるとその項目にチェックが移動するようになっている。
【００３７】
ＣＰＵ１１は、ＳＴ２としていずれかの受取区分が選択されるのを待機する。そして、入力部１７の操作により「次へ」ボタンＢ１が入力されたならば、ＣＰＵ１１は、ＳＴ３及びＳＴ４としてチェックボックスＣ１にチェックが入った受取区分項目を認識する（情報設定手段）。
【００３８】
ここで、受取区分「常に受取る」のチェックボックスにチェックが入っていた場合には（ＳＴ３のＮＯ，ＳＴ４のＹＥＳ）、ＣＰＵ１１は、ＳＴ５として紙レシート受取条件管理領域Ａ１における領域ａ１の受取設定フラグを“１”とする。すなわち、紙レシートを常に受取る設定であることを示す情報を記憶する（情報記憶手段）。
【００３９】
これに対し、受取区分「常に受取らない」のチェックボックスにチェックが入っていた場合には（ＳＴ３のＮＯ，ＳＴ４のＮＯ）、ＣＰＵ１１は、ＳＴ６として表示部１６に受取区分確認画面Ｇ２を表示させる。受取区分確認画面Ｇ２の一例を図１０に示す。図示するように、受取区分確認画面Ｇ２には、紙レシートを受取らない旨を選択したために、今後、店頭では紙レシートが発行されないことをユーザに通知するメッセージＭ１が表示されている。また、「はい」ボタンＢ２と、「いいえ」ボタンＢ３とが表示されている。「はい」ボタンＢ２は、紙レシートが発行されなくてよいときにユーザが操作する。「いいえ」ボタンＢ３は、紙レシートが必要であるときにユーザが操作する。
【００４０】
ＣＰＵ１１は、ＳＴ７として受取区分確認画面Ｇ２のいずれかのボタンＢ２，Ｂ３が入力されるのを待機する。入力部１７の操作により受取区分確認画面Ｇ２の「いいえ」ボタンＢ３が入力された場合には、ＣＰＵ１１は、ＳＴ１に戻る。すなわち、表示部１６の画面を受取区分設定画面Ｇ１に戻す。
【００４１】
これに対し、入力部１７の操作により受取区分確認画面Ｇ２の「はい」ボタンＢ２が入力された場合には、ＣＰＵ１１は、ＳＴ８として紙レシート受取条件管理領域Ａ１における領域ａ１の受取設定フラグを“０”とする。すなわち、紙レシートを常に受取らない設定であることを示す情報を記憶する（情報記憶手段）。
【００４２】
一方、受取区分「条件によって受取る」のチェックボックスにチェックが入っていた場合には（ＳＴ３のＹＥＳ）、ＣＰＵ１１は、ＳＴ９として表示部１６に受取条件設定画面Ｇ３を表示させる。受取条件設定画面Ｇ３の一例を図１１に示す。図示するように、受取条件設定画面Ｇ３には、プルダウン表示される金額の中から紙レシートが必要な取引金額の下限額（０円以上）を選択する金額入力ボックスＣ２と、受取条件の１つである金額条件と他の１つである店舗条件の論理関係が論理積（ＡＮＤ）の関係にあるのか論理和（ＯＲ）の関係にあるのかを選択するチェックボックスＣ３と、本実施の形態の電子レシートシステムが導入されている店舗で買物をしたときに紙レシートを発行するのか否かを選択するチェックボックスＣ４と、本実施の形態の電子レシートシステムが導入されている各店舗の中から店舗条件を適用する店舗を選択するチェックボックスＣ５とが表示されている。また、「次へ」ボタンＢ４が表示されている。「次へ」ボタンＢ４は、受取条件の設定を終了したときにユーザが操作する。
【００４３】
金額入力ボックスＣ２には、デフォルトとして予め任意の金額（例えば「０円」）が表示されている。そしてその後、プルダウン表示される金額メニューの中から他の金額が選択されると、その金額に表示内容が変更される。チェックボックスＣ３には、デフォルトとしていずれか１つの項目（例えば「または」）にチェックが入っている。そしてその後、他方の項目が選択されるとその項目にチェックが移動する。同様に、チェックボックスＣ４にも、デフォルトとしていずれか１つの項目（例えば「以下の店で買物をしたとき」）にチェックが入っており、他方の項目が選択されるとその項目にチェックが移動する。一方、チェックボックスＣ５には、デフォルトの際はチェックが入っていない。そしてその後、チェックの入っていない店舗名のボックスが選択されるとチェックが入り、チェックの入った店舗名のボックスが再度選択されるとチェックが外されるようになっている。
【００４４】
ＣＰＵ１１は、ＳＴ１０として各受取条件が設定されるのを待機する。そして、入力部１７の操作により「次へ」ボタンＢ４が入力されたならば、ＣＰＵ１１は、ＳＴ１１として金額入力ボックスＣ２の金額及び各チェックボックスＣ３〜Ｃ５のチェック項目を読み取る（条件設定手段）。そして、その読取った結果により、紙レシート受取条件管理領域Ａ１における領域ａ２〜ａ４の情報を更新する。
【００４５】
すなわち、領域ａ２には金額入力ボックスＣ２に表示されている金額を記憶する。領域ａ３の各店舗名別発行フラグについては、チェックボックスＣ４の「以下の店で買い物をしたとき」にチェックが入っている場合は、チェックボックスＣ５にチェックが入っている店舗名に対応する発行フラグを“１”とし、その他の店舗名に対応する発行フラグを“０”とする。逆に、チェックボックスＣ４の「以下の店以外で買い物をしたとき」にチェックが入っている場合は、チェックボックスＣ５にチェックが入っている店舗名に対応する発行フラグを“０”とし、その他の店舗名に対応する発行フラグを“１”とする。領域ａ４の論理フラグは、チェックボックスＣ３の「かつ」にチェックが入っている場合は“１”とし、「または」にチェックが入っている場合は“０”とする（条件記憶手段）。
【００４６】
その後、ＣＰＵ１１は、ＳＴ１２として紙レシート受取条件管理領域Ａ１における領域ａ１の受取設定フラグを“−”（未設定）とする。すなわち、紙レシートを条件によって受取る設定であることを示す情報を記憶する（情報記憶手段）。
【００４７】
かくして、紙レシート受取条件管理領域Ａ１における領域ａ１の受取設定フラグが“０”，“１”または“−”のいずれかになったならば、ＣＰＵ１１は、ＳＴ１３として表示部１６に受取条件別の設定完了画面Ｇ４〜Ｇ６を表示させて、この処理を終了する。
【００４８】
図１２は、紙レシート受取条件が「常に受取らない」の場合、すなわち受取設定フラグが“０”であった場合の設定完了画面Ｇ４の一例である。図１３は、紙レシート受取条件が「常に受取る」の場合、すなわち受取設定フラグが“１”であった場合の設定完了画面Ｇ５の一例である。図１４は、紙レシート受取条件が「条件によって受取る」の場合、すなわち受取設定フラグが“−”であった場合の設定完了画面Ｇ６の一例である。
【００４９】
このように、携帯端末８のユーザは、その携帯端末８にインストールされている紙レシート受取設定プログラムＰ３に従った紙レシート受取条件設定業務を実行することによって、紙レシートを常に受取るか、常に受取らないか、条件付きで受取るかの３区分の中からいずれか１つを任意に選択し、携帯端末８に設定することができる。また、条件付きで受取る場合には、紙レシート発行条件である金額条件と店舗条件についてそれぞれ任意に携帯端末８に設定することができる。
【００５０】
次に、いずれかの紙レシート受取条件が設定された携帯端末８を所持するユーザが、本実施の形態の電子レシートシステムが導入されている店舗で買い物を行いその代金を電子決済する場合について、図１５〜図１９の流れ図を用いて説明する。
【００５１】
店舗で購入した商品の代金支払い方法として電子決済を希望するユーザは、携帯端末８の業務メニューの中から電子決済業務を選択する。そうすると、電子決済プログラムＰ１が起動する。このプログラムＰ１の起動により、携帯端末８のＣＰＵ１１は、図１５の流れ図に示す手順の処理を実行する。
【００５２】
先ずＣＰＵ１１は、ＳＴ２１として非接触ＩＣカードインターフェイス１４を介してＰＯＳ端末２との通信回線が接続されるのを待機する。
【００５３】
携帯端末８のユーザは、購入した商品の販売データがＰＯＳ端末２に登録され、締め操作が完了して代金の支払いをキャッシャから要求されたならば、携帯端末８を当該ＰＯＳ端末２に近づける。そうすると、携帯端末８とＰＯＳ端末２との間で、お互いの非接触ＩＣカードインターフェイス１４，２４を介して信号が授受されて通信回線が接続される。
【００５４】
ＰＯＳ端末２との通信回線が接続されると、ＣＰＵ１１は、ＳＴ２２としてＰＯＳ端末２に電子決済要求コマンドを送信する。すなわち、ＰＯＳ端末２に対して電子決済を要求する。
【００５５】
一方、ＰＯＳ端末２においては、商品登録後の締め操作が完了すると、電子決済プログラムＰ４が起動する。このプログラムＰ４の起動により、ＣＰＵ２１は、図１７の流れ図に示す手順の処理を実行する。
【００５６】
先ずＣＰＵ２１は、ＳＴ６１として電子決済要求コマンドを待機する。そして、通信回線が接続された携帯端末８から非接触ＩＣカードインターフェイス２４を介して電子決済要求コマンドを受信したならば、ＣＰＵ２１は、ＳＴ６２として商品登録で登録された情報を基に携帯端末８とデータを授受して電子決済を実行する。なお、この電子決済としては、電子マネーのようなストアドフェア型の決済でもよいし、クレジットカードのようなポストペイド型の決済でもよい。
【００５７】
ＳＴ６３として電子決済が終了すると、ＰＯＳ端末２のＣＰＵ２１は、ＳＴ６４として電子レシート処理プログラムＰ５を起動する。このプログラムＰ５の起動により、ＣＰＵ２１は、図１８の流れ図に示す手順の処理を実行する。
【００５８】
先ず、ＣＰＵ２１は、ＳＴ７１として客用表示部２８に携帯端末８との通信回線を維持させる旨のメッセージ「携帯を離さないでください」を表示させる。そしてこのメッセージを表示している間、ＣＰＵ２１は、ＳＴ７２として商品登録で登録された情報および決済の情報を基に電子レシート情報４０を生成する（電子レシート作成手段）。また、この電子レシート情報４０を基に簡易決済情報５０を生成する。
【００５９】
電子レシート情報４０の一例を図２０に示し、簡易決済情報５０の一例を図２１に示す。図示するように、電子レシート情報４０と簡易決済情報５０は、ＸＭＬ(extensible markup language)形式になっている。電子レシート情報４０は、店名，レジＩＤ，レジ担当，取引日時，取引ＩＤ，商品名，価格，取引金額等で構成されている。簡易決済情報５０は、電子レシート４０の中から店名，取引日時，取引ＩＤ及び取引金額等、取引の内容がわかる情報を抽出したものである。なお、電子レシート情報４０及び簡易決済情報５０の構成がこれに限定されないのは言うまでもないことである。
【００６０】
またＣＰＵ２１は、メッセージ「携帯を離さないでください」を表示している間、ＳＴ７３として電子レシートサーバ６から当該電子レシート情報４０に基づく電子レシートをダウンロードするための識別情報を生成する。この識別情報は、当該電子レシート情報４０の電子レシートサーバ６における所在地（ＵＲＬ）を示す。例えば、携帯端末８に予め設定されているパスワードと、今回生成された電子レシート情報４０に含まれる店舗名，取引日時，取引ＩＤ等のどの買物かを一意に判別できる情報とからハッシュ値を計算し、このハッシュ値を電子レシートダウンロード識別情報とする。
【００６１】
しかる後、ＣＰＵ２１は、ＳＴ７４として生成した電子レシートダウンロード識別情報と簡易決済情報５０とを非接触ＩＣカードメモリ２５に書込む。そして、この非接触ＩＣカードメモリ２５に書込んだ情報を通信回線が接続された携帯端末８に非接触ＩＣカードインターフェイス２４を介して送信する。
【００６２】
さて、ＳＴ２２の処理でＰＯＳ端末２に対して電子決済を要求した携帯端末８のＣＰＵ１１は、ＳＴ２３として電子決済が終了するのを待機する。そして、ＰＯＳ端末２からの応答により電子決済が正常に終了したことを確認したならば、ＣＰＵ１１は、ＳＴ２４としてそのＰＯＳ端末２から電子レシートダウンロード識別情報と簡易決済情報５０とが送られてくるのを待機する。そして、ＳＴ２５として非接触ＩＣカードインターフェイス１４を介して電子レシートダウンロード識別情報と簡易決済情報５０とを受信したならば、ＣＰＵ１１は、ＳＴ２６としてその受信した電子レシートダウンロード識別情報と簡易決済情報５０とを関連付けて非接触ＩＣカードメモリ１５で記憶する。
【００６３】
因みに、携帯端末８のユーザは、ＰＯＳ端末２の客用表示部２８にメッセージ「携帯を離さないでください」が表示されている間、携帯端末８をＰＯＳ端末２から離さない。そうすることにより、電子決済終了後から所定のタイムラグが経過した後に、ＰＯＳ端末２から非接触ＩＣカードインターフェイス２４を介して電子レシートダウンロード識別情報と簡易決済情報５０とが送信されるが、これらの情報を携帯端末８が安定に受信することができる。
【００６４】
ＳＴ２６の処理で電子レシートダウンロード識別情報と簡易決済情報５０とを非接触ＩＣカードメモリ１５で記憶した後、ＣＰＵ１１は、ＳＴ２７として記録部１３の紙レシート受取条件管理領域Ａ１から領域ａ１に記憶された受取設定フラグを読み出す。そして、この受取設定フラグを非接触ＩＣカードメモリ１５に書き込む。非接触ＩＣカードメモリ１５に書き込まれた受取設定フラグをカード受取フラグＦ（図２を参照）とする。
【００６５】
次に、ＣＰＵ１１は、ＳＴ２８としてカード受取フラグＦが未設定“−”であるか否かを判断する。カード受取フラグＦが未設定“−”の場合、すなわち紙レシートの受取区分として「条件によって受取る」が設定されていた場合には、ＣＰＵ１１は、ＳＴ２９として非接触ＩＣカードメモリ１５に記憶した簡易決済情報５０から取引金額と店舗名とを抽出する。そして、ＳＴ３０としてこの抽出した取引金額と店舗名の情報を紙レシート受取条件管理領域Ａ１に記憶されている受取条件項目のデータと照合して、商取引の内容が予め設定した紙レシート受取条件に適合しているか否かを判断する（照合手段）。
【００６６】
すなわち、簡易決済情報５０から抽出した取引金額が、領域ａ２に記憶されている受取条件金額以上であるか否かを判断する。また、領域ａ３に記憶されている店舗名別発行フラグのうち、簡易決済情報５０から抽出した店舗名に対応する発行フラグが“１”にセットされているか否かを判断する。
【００６７】
ここで、領域ａ４の論理フラグが“１”であった場合には、取引金額が受取条件金額以上であること、及び店舗名に対応する発行フラグが“１”にセットされていることの２つの条件をいずれも満足した場合に、紙レシート受取条件に適合すると判断する。逆に、いずれか一方の条件しか満足していないまたは両方とも満足していない場合には、紙レシート受取条件に適合していないと判断する。一方、領域ａ４の論理フラグが“０”であった場合には、少なくとも一方の条件を満足していれば、紙レシート受取条件に適合すると判断し、両方とも満足していない場合のみ紙レシート受取条件に適合していないと判断する。
【００６８】
紙レシート受取条件に適合すると判断した場合は、ＣＰＵ１１は、ＳＴ３１として未設定であったカード受取フラグＦを“１”、すなわち紙レシートの受取可を指示する情報に更新する。これに対し、紙レシート受取条件に適合しないと判断した場合は、ＣＰＵ１１は、ＳＴ３２として未設定であったカード受取フラグＦを“０”、すなわち紙レシートの受取不可を指示する情報に更新する（情報更新手段）。
【００６９】
ＳＴ２８の処理にて、カード受取フラグＦが“１”または“０”であった場合、すなわち、紙レシートの受取区分として「常に受取る」または「常に受取らない」が設定されていた場合には、ＣＰＵ１１は、ＳＴ２９〜ＳＴ３２の処理を実行しない。
【００７０】
すなわち、紙レシートの受取区分として「条件によって受取る」を設定した場合には、ＰＯＳ端末２から送られてきた簡易決済情報５０により紙レシート発行条件に適合した商取引であったか否かが判断される。そして、適合した商取引であった場合には、紙レシートの受取区分として「常に受取る」が設定されていたときと同じ状態のカード受取フラグＦが非接触ＩＣカードメモリ１５にセットされる。これに対し、適合していない商取引であった場合には、受取区分として「常に受取らない」が設定されていたときと同じ状態のカード受取フラグＦが非接触ＩＣカードメモリ１５にセットされる。
【００７１】
しかる後、ＣＰＵ１１は、ＳＴ３３として電子レシート対応プログラムＰ２を起動し、電子決済プログラムＰ１を終了させる。電子レシート対応プログラムＰ２が起動したときのＣＰＵ１１の処理手順については、後述する。
【００７２】
ＳＴ７４の処理で電子レシートダウンロード識別情報と簡易決済情報５０とを携帯端末８に送信したＰＯＳ端末２のＣＰＵ２１は、ＳＴ７５としてこれらの情報の送信が完了するのを待機する。そして、正常に送信したことを確認すると、ＣＰＵ２１は、ＳＴ７６としてその携帯端末８の非接触ＩＣカードメモリ１５からカード受取フラグＦを読み込む。このとき、ＳＴ７７としてカード受取フラグＦが未設定“−”であった場合には、当該携帯端末８において前記ＳＴ２９〜ＳＴ３２の処理が実行されて“１”または“０”に更新されるのを待機する。
【００７３】
携帯端末８の非接触ＩＣカードメモリ１５から読み込んだカード受取フラグＦが“１”または“０”であった場合には、ＣＰＵ２１は、ＳＴ７８として客用表示部２８からメッセージ「携帯を離さないで下さい」を消去する。また、ＳＴ７９として今回生成した電子レシート情報４０および電子レシートダウンロード識別情報と、携帯端末８から読み込んだカード受取フラグＦの情報とを、インターネット５を介して電子レシートサーバ６に送信する。
【００７４】
以上で、ＣＰＵ２１は、電子レシート処理プログラムＰ５を終了させる。そして、電子決済プログラムＰ４の処理を再開する。すなわちＣＰＵ２１は、ＳＴ６５として電子レシート処理プログラムＰ５の終了を確認すると、ＳＴ６６として携帯端末８から読み込んだカード受取フラグＦが“１”であるか“０”であるかを判断する（判定手段）。
【００７５】
ここで、カード受取フラグＦが“１”であった場合には、ＣＰＵ２１は、ＳＴ６７として電子レシート情報４０をプリンタ２９に出力してレシート用紙に印字出力させる（発行制御手段）。これにより、図２２に示すように、電子レシート情報４０の内容がプリンタ２９によってレシート用紙に印刷され、紙レシート６０として発行される。
【００７６】
これに対し、カード受取フラグが“０”であった場合には、ＣＰＵ２１は、ＳＴ６７の処理を実行しない。すなわち、紙レシート６０が発行されない。以上で、ＣＰＵ２１は、電子決済プログラムＰ４を終了させる。
【００７７】
このように、カード受取フラグＦが“１”であった場合には、商取引の決済時に当該電子レシート情報４０と同一内容の紙レシート６０が発行される。カード受取フラグＦが“０”であった場合には、紙レシート６０は発行されない。
【００７８】
一方、電子レシートサーバ６においては、電子レシート管理プログラムＰ６が常駐しており、このプログラムＰ６に従って、ＣＰＵ３１は、図１９の流れ図に示す処理を実行するものとなっている。
【００７９】
すなわち、ＣＰＵ３１は、ＳＴ８１として電子レシート情報の受信を待機している。そして、インターネット５を介してＰＯＳ端末２から電子レシート情報４０を受信したならば、ＣＰＵ３１は、ＳＴ８２としてこの電子レシート情報４０とともに受信した電子レシートダウンロード識別情報から電子レシートを公開するＵＲＬ（Uniform Resource Locator）を復号する。この復号は、例えば予め電子レシートサーバ６が電子レシートを公開するディレクトリを電子レシート管理領域Ａ３として決めておき、電子レシートダウンロード識別情報であるハッシュ値の１６進数表記を電子レシート格納先のアドレスとしてそのディレクトリ上に置くことで行われる。
【００８０】
電子レシートダウンロード識別情報からＵＲＬを復号したならば、ＣＰＵ３１は、ＳＴ８３として受信した電子レシート情報４０をそのＵＲＬとともに電子レシート管理領域Ａ３に格納する。このとき、ＳＴ８４として当該電子レシート情報４０とともに受信したカード受取フラグＦが“１”であった場合には、当該電子レシート情報４０に付加される発行状況フラグを“１”とし、カード受取フラグＦが“０”であった場合には、発行状況フラグを“０”とする。すなわち、商取引の決済時に当該電子レシート情報４０と同一内容の紙レシート６０が発行された場合には発行状況フラグを“１”とし、発行されなかった場合には発行状況フラグを“０”とする。
【００８１】
しかる後、ＣＰＵ３１は、ＳＴ８５として電子レシートダウンロード識別情報から復号したインターネット上のＵＲＬに当該電子レシート情報４０に基づく電子レシートを公開する。以上で、ＣＰＵ３１は、電子レシート情報受信時の処理を終了する。
【００８２】
一方、電子レシート対応プログラムＰ２が起動した携帯端末８のＣＰＵ１１は、図１６の流れ図に示す手順の処理を実行する。先ず、ＣＰＵ１１は、ＳＴ４１として非接触ＩＣカードメモリ１５に簡易決済情報５０が記憶されているか否かを判断する。簡易決済情報５０が記憶されていない場合には、ＣＰＵ１１は、電子レシート対応プログラムＰ２を終了させる。
【００８３】
簡易決済情報５０が記憶されていた場合には、ＣＰＵ１１は、ＳＴ４２としてこの簡易決済情報５０を表示部１６に表示させる。次に、ＣＰＵ１１は、ＳＴ４３として非接触ＩＣカードメモリ１５内のカード受取フラグＦをチェックする。ここで、カード受取フラグＦが“０”に設定されていた場合には、ＣＰＵ１１は、ＳＴ４４として紙レシートが発行されない旨のメッセージを表示部１６に表示させる。カード受取フラグＦが“０”以外の場合には、メッセージを表示しない。
【００８４】
カード受取フラグＦが“０”に設定されていたときの表示部１６の画面例を図２３に示す。図示するように、表示部１６には、非接触ＩＣカードメモリ１５に記憶された簡易決済情報５０とともに、紙レシートが発行されない旨のメッセージＭ２が表示されている。また、ダウンロードボタンＢ４と、終了ボタンＢ５とが表示されている。ダウンロードボタンＢ４は、簡易決済情報５０から特定される商取引に関する電子レシートのダウンロードを指示するときにユーザが操作する。終了ボタンＢ５は、電子レシートをダウンロードしない旨を指示するときにユーザが操作する。
【００８５】
ＣＰＵ１１は、ＳＴ４５として終了ボタンＢ５が入力されるか、また、ＳＴ４６としてダウンロードボタンＢ４が入力されるのを待機する。ここで、入力部１７を介して終了ボタンＢ５が入力された場合には、ＣＰＵ１１は、電子レシート対応プログラムＰ２を終了させる。
【００８６】
これに対し、ダウンロードボタンＢ４が入力された場合には、ＣＰＵ１１は、ＳＴ４７としてその簡易決済情報５０とともに非接触ＩＣカードメモリ１５に記憶されている電子レシートダウンロード識別情報から電子レシートをダウンロードするためのＵＲＬを復号する。そして、ＳＴ４８として公衆網接続インターフェイス１８を介してインターネット５に接続し、復号されたＵＲＬにアクセスして、そのＵＲＬに公開されている電子レシートの情報４０をダウンロードする。ダウンロードされた電子レシート情報４０は、ワークメモリ１２で一時的に記憶する。
【００８７】
次に、ＣＰＵ１１は、ＳＴ４９としてダウンロードされた電子レシート情報４０を解析する。そして、電子レシートの画面Ｇ７を作成し、表示部１６に表示する。電子レシート画面Ｇ７の一例を図２４に示す。図２２の紙レシート６０の例と比較すれば分かるように、電子レシート画面Ｇ７には、紙レシート６０と同一内容が表示されている。
【００８８】
しかる後、ＣＰＵ１１は、ＳＴ５０として確認入力を待つ。入力部１７を介して確認した旨が入力されると、ＣＰＵ１１は、ＳＴ５１としてこの電子レシートの情報４０を携帯端末８内に保存するかどうかを問い合わせる画面を表示する。そして、ＳＴ５２として入力部１７の入力により保存する旨が入力された場合には、ＣＰＵ１１は、ＳＴ５３として非接触ＩＣカードメモリ１５で記憶していた電子レシートダウンロード識別情報とワークメモリ１２に記憶していた電子レシート情報４０とを関連付けて、記録部１３の電子レシート保存領域Ａ２に記録する。また、ＳＴ５４として非接触ＩＣカードメモリ１５のカード受取フラグＦが“１”であった場合には、当該電子レシート情報４０に関連付けられた受取状況フラグを“１”とし、カード受取フラグＦが“０”であった場合には、受取状況フラグを“０”とする（識別情報記憶手段）。
【００８９】
すなわち、ダウンロードした電子レシート情報４０に基づく紙レシート６０が商取引の決済時に発行されている場合には受取状況フラグを“１”とし、紙レシート６０が発行されていない場合には受取状況フラグを“０”とする。
【００９０】
ＳＴ５２にて入力部１７の入力により保存しない旨が入力された場合には、ＣＰＵ１１は、ＳＴ５３及びＳＴ５４の処理を実行しない。
【００９１】
その後、ＣＰＵ１１は、ＳＴ５５として非接触ＩＣカードメモリ１５で記憶していた電子レシートダウンロード識別情報と簡易決済情報５０とをクリアする。また、ＳＴ５６として非接触ＩＣカードメモリ１５で記憶していたカード受取フラグＦをクリアする。さらに、ＳＴ５７としてワークメモリ１２内の電子レシート情報４０もクリアしたならば、ＣＰＵ１１は、この電子レシート対応プログラムＰ２を終了させる。
【００９２】
このように、携帯端末８では、記録部１３の電子レシート保存領域Ａ２において、電子レシートサーバ６からダウンロードした電子レシート情報４０が、その電子レシート情報４０をダウンロードするために用いた電子レシートダウンロード識別情報と、その電子レシート情報４０に基づく紙レシート６０を受け取ったか否かを識別する情報（受取状況フラグ）とともに記憶される。
【００９３】
次に、携帯端末８のユーザが、紙レシート６０を商取引の決済時でなく、その後に受取る場合について、図１９，図２４及び図２５の流れ図を用いて説明する。
【００９４】
決済時に受取らなかった紙レシート６０がその後必要となったユーザは、携帯端末８の業務メニューの中からレシート後印刷業務を選択する。そうすると、電子レシート対応プログラムＰ２が後印刷モードで起動する。このプログラムＰ２の起動により携帯端末８のＣＰＵ１１は、図２５の流れ図に示す手順の処理を実行する。
【００９５】
先ず、ＣＰＵ１１は、ＳＴ１０１として電子レシート保存領域Ａ２に保存されている電子レシート情報４０毎に、簡易決済情報５０と同一の項目を抽出して電子レシート簡易情報を生成する。そして、この電子レシート簡易情報のリスト画面Ｇ８を表示部１６に表示させる。リスト画面Ｇ８の一例を図２７に示す。図示するように、リスト画面Ｇ８には、電子レシート保存領域Ａ２に保存されている各電子レシート情報４０の中から、店舗名，取引日時及び取引金額が電子レシート簡易情報Ｄ１，Ｄ２，Ｄ３…としてそれぞれ抽出されて表示されている。また、「終了」ボタンＢ６が表示されている。「終了」ボタンＢ６は、プログラムの終了を指示するときにユーザが操作する。
【００９６】
ＣＰＵ１１は、「終了」ボタンＢ６が入力されるか、いずれかの電子レシート簡易情報Ｄ１，Ｄ２，Ｄ３…が選択されるのを待機する。ここで、ＳＴ１０２として入力部１７を介して「終了」ボタンＢ６が入力された場合には、ＣＰＵ１１は、電子レシート対応プログラムＰ２を終了させる。
【００９７】
これに対し、ＳＴ１０３として入力部１７を介して画面Ｇ８上のいずれかの電子レシート簡易情報Ｄ１，Ｄ２，Ｄ３…が選択され、その実行が指令されると、ＣＰＵ１１は、ＳＴ１０４としてその選択された電子レシート簡易情報Ｄ１，Ｄ２，Ｄ３…の元となる電子レシート情報４０と関連付けられて電子レシート保存領域Ａ２に記憶されている受取状況フラグをチェックする。ここで、受取状況フラグが“１”であった場合には、この電子レシート情報４０に基づく紙レシート６０は既に印刷されているので、ＣＰＵ１１は、ＳＴ１０５としてこの電子レシート情報４０に基づく紙レシートが印刷済であることを示すメッセージを表示部１６に表示させる。その後、確認操作がなされたならば、ＣＰＵ１１は、表示部１６の画面を電子レシート簡易情報のリスト画面Ｇ８に戻す。
【００９８】
これに対し、受取状況フラグが“０”であった場合には、この電子レシート情報４０に基づく紙レシート６０は未だ印刷されていないので、ＣＰＵ１１は、ＳＴ１０６として印刷確認画面Ｇ９を表示部１６に表示させる。この印刷確認画面Ｇ９の一例を図２８に示す。図示するように印刷確認画面Ｇ９には、選択した電子レシート簡易情報Ｄｎと、印刷実行を確認するメッセージＭ３とが表示されている。また、「はい」ボタンＢ７と「いいえ」ボタンＢ８とが表示されている。「はい」ボタンＢ７は、紙レシート６０を印刷するときにユーザが操作する。「いいえ」ボタンＢ８は、紙レシート６０を印刷しないときにユーザが操作する。
【００９９】
ＣＰＵ１１は、ＳＴ１０７としていずれかのボタンＢ７，Ｂ８が入力されるのを待機する。そして、入力部１７を介して「いいえ」ボタンＢ８が操作入力された場合には、ＣＰＵ１１は、表示部１６の画面を電子レシート簡易情報のリスト画面Ｇ８に戻す。
【０１００】
これに対し、入力部１７を介して「はい」ボタンＢ７が操作入力された場合には、ＣＰＵ１１は、ＳＴ１０８として選択された電子レシート簡易情報の元となる電子レシート情報４０と関連付けられて電子レシート保存領域Ａ２に記憶されている電子レシートダウンロード識別情報を読出し、非接触ＩＣカードメモリ１５に書き込む。しかる後、ＳＴ１０９として携帯端末８をＰＯＳ端末２に近づける旨を指示するメッセージ「ＰＯＳ端末に近づけてください」を表示部１６に表示させる。そして、ＳＴ１１０として非接触ＩＣカードインターフェイス１４を介してＰＯＳ端末２と通信回線が接続されるのを待機する（識別情報送信手段）。
【０１０１】
一方、ＰＯＳ端末２を操作するキャッシャは、携帯端末８のユーザから電子レシートの後印刷要求を受けた場合には、商品登録を行っていないときに入力部２６に設けられた後印刷キーを押下する。そうすると、電子レシート処理プログラムＰ５が後印刷モードで起動する。これにより、ＰＯＳ端末２のＣＰＵ２１は、図２６の流れ図に示す手順の処理を実行する。
【０１０２】
先ずＣＰＵ２１は、ＳＴ１２１として非接触ＩＣカードインターフェイス２４を介して携帯端末８との通信回線が接続されるのを待機する。このとき、携帯端末８は、電子レシート対応プログラムＰ２が後印刷モードで起動しているものに限る。該当する携帯端末８と通信回線が接続されたならば、ＣＰＵ２１は、ＳＴ１２２として当該携帯端末８の非接触ＩＣカードメモリ１５に記憶されている電子レシートダウンロード識別情報を読み込む（識別情報受信手段）。
【０１０３】
次に、ＣＰＵ２１は、ＳＴ１２３として電子レシートダウンロード識別情報から電子レシート４０をダウンロードするためのＵＲＬを復号する。そして、ＳＴ１２４としてインターネット５を介して電子レシートサーバ６に接続し、当該ＵＲＬによって特定される電子レシートのダウンロードを要求する。
【０１０４】
このダウンロード要求に対し、電子レシート管理プログラムＰ６が常駐している電子レシートサーバ６のＣＰＵ３１は、図１９のＳＴ８６移行の処理を実行する。すなわちＣＰＵ３１は、ＳＴ８６としてＰＯＳ端末２から電子レシートのダウンロード要求を受信すると、ＳＴ８７として電子レシート管理領域Ａ３を検索して、ダウンロード要求のあった電子レシート情報４０が記憶されているか否かを調べる。記憶されていない場合には、ＣＰＵ３１は、ＳＴ８８として電子レシート無しの応答データを、インターネット５を介してＰＯＳ端末２に返信する。
【０１０５】
電子レシート管理領域Ａ３に当該電子レシート情報４０が記憶されている場合には、ＳＴ８９としてこの電子レシート情報４０に関連付けられた発行状況フラグを“１”にする。しかる後、ＳＴ９０としてダウンロード許諾の応答データを、インターネット５を介してＰＯＳ端末２に返信する。
【０１０６】
因みに、図２５のＳＴ１０８の処理において、携帯端末８の非接触ＩＣカードメモリ１５に書き込まれた電子レシートダウンロード識別情報に関連付けられた受取状況フラグは“０”である。すなわち、未だ紙レシートを受取っていない商取引の電子レシートダウンロード識別情報である。したがって、この電子レシートダウンロード識別情報から復号されたＵＲＬで公開されている電子レシートの電子レシート情報４０に関連付けられた発行状況フラグも“０”である。そこで、ＳＴ８９の処理においては、この発行状況フラグを“１”に変更して、発行済となることを示している。
【０１０７】
さて、ＳＴ１２４の処理にて電子レシートサーバ６に対して電子レシートダウンロード要求を行ったＰＯＳ端末２のＣＰＵ２１は、ＳＴ１２５として電子レシートサーバ６からの応答データを待機する。ここで、応答データが電子レシート無しの応答データであった場合には、ＣＰＵ２１は、ＳＴ１２６として非接触ＩＣカードインターフェイス２４を介して通信回線が接続されている携帯端末８の非接触ＩＣカードメモリ１５に印刷不可のメッセージデータを書き込み、この電子レシート処理プログラムＰ５を終了させる。
【０１０８】
これに対し、応答データがダウンロード許諾の応答データであった場合には、ＣＰＵ２１は、ＳＴ１２７としてインターネット５を介して電子レシートダウンロード識別情報から復号したＵＲＬにアクセスし、このＵＲＬにて公開されている電子レシートの情報４０を電子レシートサーバ６からダウンロードする（電子レシート取得手段）。
【０１０９】
そしてＣＰＵ２１は、ＳＴ１２８としてダウンロードした電子レシート情報４０をプリンタ２９に出力して、レシート用紙に印字出力させる（後発行制御手段）。これにより、図２２に示すように、電子レシート情報４０の内容がプリンタ２９によってレシート用紙に印刷され、紙レシート６０として発行される。
【０１１０】
しかる後、ＣＰＵ２１は、ＳＴ１２９として非接触ＩＣカードインターフェイス２４を介して通信回線が接続されている携帯端末８の非接触ＩＣカードメモリ１５に印刷完了のメッセージデータを書き込む。
【０１１１】
こうして、印刷不可または印刷完了のメッセージデータを携帯端末８の非接触ＩＣカードメモリ１５に書き込んだ、ＣＰＵ２１は、この電子レシート処理プログラムＰ５を終了させる。
【０１１２】
一方、ＳＴ１１０にてＰＯＳ端末２との通信回線が接続されるのを待機していた携帯端末８のＣＰＵ１１は、非接触ＩＣカードインターフェイス１４を介してＰＯＳ端末２との通信回線が接続されると、ＳＴ１１１として表示部１６のメッセージを、携帯端末８をＰＯＳ端末２から離さない旨を指示するメッセージ「レシート発行まで離さないで下さい」と変更する。これにより、携帯端末８のユーザは、ＰＯＳ端末２から紙レシートが発行されるまで、携帯端末８をＰＯＳ端末２から離さない。その結果、ＰＯＳ端末２から非接触ＩＣカードメモリ１５に印刷応答のメッセージデータが書き込まれる。
【０１１３】
ＣＰＵ１１は、ＳＴ１１２として印刷応答のメッセージデータが非接触ＩＣカードメモリ１５に書き込まれるのを待機する。そして、書き込まれたならば、ＳＴ１１３としてそのメッセージデータが印刷完了のメッセージデータであるのか印刷不可のメッセージであるのかを識別する。
【０１１４】
印刷完了のメッセージデータであった場合には、ＣＰＵ１１は、ＳＴ１１４として電子レシート保存領域Ａ２の選択した電子レシート情報に関連付けられた受取状況フラグを“０”から“１”に変更する。また、ＳＴ１１５として表示部１６に印刷成功のメッセージを表示させる。これに対し、印刷不可のメッセージデータであった場合には、ＣＰＵ１１は、ＳＴ１１６として表示部１６に印刷失敗のメッセージを表示させる。その後、確認操作がなされたならば、ＣＰＵ１１は、表示部１６の画面をリスト画面Ｇ８に戻す。
【０１１５】
一方、ＳＴ９０の処理にてＰＯＳ端末２に対してダウンロード許諾の応答データを返信した電子レシートサーバ６のＣＰＵ３１は、ＳＴ９１としてその要求のあった電子レシートがダウンロードされるのを監視する。そして、ダウンロードを完了したならば、ＣＰＵ３１は、ＳＴ９２として電子レシート管理領域Ａ３からダウンロードされた電子レシート情報４０とそれに対応する発行状況フラグを削除する（削除手段）。
【０１１６】
このように本実施の形態によれば、決済の記録を電子レシートで受取ることが可能な携帯端末８のユーザのうち、紙レシートが必要との旨の情報を携帯端末８に設定しているユーザに対しては、ＰＯＳ端末２での商取引決済時に自動的に紙レシート６０を発行することができる。したがって、キャッシャは、決済の記録を電子レシートで受取る客に対して紙レシートが必要であるか否かを問合せる面倒がなくなる。また、ユーザも、商取引の都度、紙レシートが必要であるか否かを答える必要がない。その結果、紙レシートの発行有無を巡って店員と客との間で無用なトラブルが発生するのを未然に防ぐことができる。
【０１１７】
またユーザは、取引金額や店舗を条件として紙レシートを受け取るか否かを携帯端末８に任意に設定することができる。したがって、例えば取引金額が所定金額以上の場合は紙レシートが必要であるが、所定金額未満の場合は紙レシートが不要であるという運用や、飲食店では紙レシートが必要であるがその他の店舗では紙レシートが不要であるという運用に対し、煩雑感なく対応できる効果を奏する。
【０１１８】
また、商取引決済時に紙レシートを受取らなかった場合でも、後から店に行って紙レシートを受取ることができる。この場合において、後から紙レシートが発行された商取引の電子レシート情報は、電子レシートサーバ６の電子レシート管理領域Ａ３から削除されるので、同一内容の紙レシートが複数枚発行される不正を未然に防ぐことができる。
【０１１９】
なお、この発明は前記実施形態そのままに限定されるものではなく、実施段階ではその要旨を逸脱しない範囲で構成要素を変形して具体化できる。
【０１２０】
また、本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【０１２１】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。  
以下に、本願出願の当初の特許請求の範囲に記載された発明の一部を付記する。 
［付記１］決済された商取引の内容を示すレシート情報を印刷媒体に出力して印刷レシートを発行する印刷レシート発行手段と、前記レシート情報を電子化した電子レシートを作成する電子レシート作成手段と、前記印刷レシートを受取るか否かを指示するレシート受取情報を設定する情報設定手段及びこの情報設定手段により設定されたレシート受取情報を記憶する情報記憶手段を備えた携帯端末と通信を行う第１の通信手段と、前記電子レシートを記録する電子レシートデータベースと通信を行う第２の通信手段とを具備した決済処理装置であって、商取引の決済時に前記携帯端末の情報記憶手段により記憶されたレシート受取情報に基づいて前記印刷レシートの発行可否を判定する判定手段と、この判定手段により前記印刷レシートの発行可と判定された場合に前記印刷レシート発行手段を動作させてその決済された商取引の内容を示すレシート情報が出力された印刷レシートを発行させる発行制御手段とを具備したことを特徴とする決済処理装置。 
［付記２］前記携帯端末から送信される識別情報を受信する識別情報受信手段と、この識別情報受信手段により受信した識別情報で識別される電子レシートを前記電子レシートデータベースから取得する電子レシート取得手段と、前記印刷レシート発行手段を動作させて前記電子レシート取得手段により取得した電子レシートと同一内容の印刷レシートを発行させる後発行制御手段とをさらに具備したことを特徴とする［付記１］記載の決済処理装置。
【図面の簡単な説明】
【０１２２】
【図１】本発明の一実施の形態における電子レシートシステムの全体構成図。
【図２】本実施の形態における携帯端末の要部構成を示すブロック図。
【図３】本実施の形態における携帯端末の記録部に形成される紙レシート受取条件管理領域のエリア構成図。
【図４】本実施の形態における携帯端末の記録部に形成される電子レシート保存領域のエリア構成図。
【図５】本実施の形態におけるＰＯＳ端末の要部構成を示すブロック図。
【図６】本実施の形態における電子レシートサーバの要部構成を示すブロック図。
【図７】本実施の形態における電子レシートサーバの記録部に形成される電子レシート管理領域のエリア構成図。
【図８】本実施の形態の携帯端末において、紙レシート受取設定プログラム起動時のＣＰＵの処理手順を示す流れ図。
【図９】本実施の形態において、携帯端末の表示部に表示される受取区分設定画面の一例を示す図。
【図１０】本実施の形態において、携帯端末の表示部に表示される受取区分確認画面の一例を示す図。
【図１１】本実施の形態において、携帯端末の表示部に表示される受取条件設定画面の一例を示す図。
【図１２】本実施の形態において、携帯端末の表示部に表示される紙レシート受取条件が「常に受取らない」の場合の設定完了画面の一例を示す図。
【図１３】本実施の形態において、携帯端末の表示部に表示される紙レシート受取条件が「常に受取る」の場合の設定完了画面の一例を示す図。
【図１４】本実施の形態において、携帯端末の表示部に表示される紙レシート受取条件が「条件によって受取る」の場合の設定完了画面の一例を示す図。
【図１５】本実施の形態の携帯端末において、電子決済プログラム起動時のＣＰＵの処理手順を示す流れ図。
【図１６】本実施の形態の携帯端末において、電子レシート対応プログラム起動時のＣＰＵの処理手順を示す流れ図。
【図１７】本実施の形態のＰＯＳ端末において、電子決済プログラム起動時のＣＰＵの処理手順を示す流れ図。
【図１８】本実施の形態のＰＯＳ端末において、電子レシート処理プログラム起動時のＣＰＵの処理手順を示す流れ図。
【図１９】本実施の形態の電子レシートサーバにおいて、電子レシート管理プログラム起動時のＣＰＵの処理手順を示す流れ図。
【図２０】本実施の形態において作成される電子レシート情報の一例を示す図。
【図２１】本実施の形態において作成される簡易決済情報の一例を示す図。
【図２２】本実施の形態において印刷される紙レシートの一例を示す図。
【図２３】本実施の形態において、携帯端末の表示部に表示される電子レシートダウンロード選択画面の一例を示す図。
【図２４】本実施の形態において、携帯端末の表示部に表示される電子レシート画面の一例を示す図。
【図２５】本実施の形態の携帯端末において、後印刷モードの電子レシート対応プログラム起動時のＣＰＵの処理手順を示す流れ図。
【図２６】本実施の形態のＰＯＳ端末において、後印刷モードの電子レシート処理プログラム起動時のＣＰＵの処理手順を示す流れ図。
【図２７】本実施の形態において、携帯端末の表示部に表示される電子レシート簡易情報リスト画面の一例を示す図。
【図２８】本実施の形態において、携帯端末の表示部に表示される印刷確認画面の一例を示す図。
【符号の説明】
【０１２３】
１…店舗、２…ＰＯＳ端末、３…ルータ、４…ＬＡＮ、５…インターネット、６…電子レシートサーバ、７…基地局、８…携帯端末、１１，２１，３１…ＣＰＵ、１２，２２，３２…ワークメモリ、１３，２３，３３…記録部、１４，２４…非接触ＩＣカードインターフェイス、１５，２５…非接触ＩＣカードメモリ、１６…表示部、１７，２６…入力部、１８…公衆網接続インターフェイス、２７…オペレータ用表示部、２８…客用表示部、２９…プリンタ、３０，３４…ネットワークインターフェイス、Ｐ１，Ｐ４…電子決済プログラム、Ｐ２…電子レシート対応プログラム、Ｐ３…紙レシート受取設定プログラム、Ｐ５…電子レシート処理プログラム、Ｐ６…電子レシート管理プログラム、Ａ１…紙レシート受取条件管理領域、Ａ２…電子レシート保存領域、Ａ３…電子レシート管理領域。
【図１】
0004621714.tif 000002
【図２】
0004621714.tif 000003
【図３】
0004621714.tif 000004
【図４】
0004621714.tif 000005
【図５】
0004621714.tif 000006
【図６】
0004621714.tif 000007
【図７】
0004621714.tif 000008
【図８】
0004621714.tif 000009
【図９】
0004621714.tif 000010
【図１０】
0004621714.tif 000011
【図１１】
0004621714.tif 000012
【図１２】
0004621714.tif 000013
【図１３】
0004621714.tif 000014
【図１４】
0004621714.tif 000015
【図１５】
0004621714.tif 000016
【図１６】
0004621714.tif 000017
【図１７】
0004621714.tif 000018
【図１８】
0004621714.tif 000019
【図１９】
0004621714.tif 000020
【図２０】
0004621714.tif 000021
【図２１】
0004621714.tif 000022
【図２２】
0004621714.tif 000023
【図２３】
0004621714.tif 000024
【図２４】
0004621714.tif 000025
【図２５】
0004621714.tif 000026
【図２６】
0004621714.tif 000027
【図２７】
0004621714.tif 000028
【図２８】
0004621714.tif 000029